(57)【要約】【課題】インターフェースが不適合である場合に、故障と同じような状態に陥ることを解消する映像送信装置、映像受信装置を提供する。【解決手段】ケーブルを介して互いに接続可能な映像送信装置と映像受信装置とを含む映像システムであって、映像送信装置に備えられ、ベースバンド映像信号を暗号化する暗号化手段と、映像送信装置および映像受信装置の一方に備えられ、映像受信装置が暗号化映像信号を復号する能力を有する否かを判定する判定手段と、映像送信装置および映像受信装置の一方に備えられ、メッセージ画像信号を生成する生成手段と、映像送信装置および映像受信装置の一方に備えられ、判定手段によって映像受信装置が暗号化映像信号を復号する能力を有しないと判定されたとき、メッセージ画像信号を映像受信装置に表示させる制御手段とを備える。【選択図】図３
2008131567.tif 000002
【特許請求の範囲】
【請求項１】
ケーブルを介して互いに接続可能な映像送信装置と映像受信装置とを含む映像システムであって、
前記映像送信装置に備えられ、ベースバンド映像信号を取得する取得手段と、
前記映像送信装置に備えられ、取得されたベースバンド映像信号を暗号化する暗号化手段と、
前記映像送信装置および前記映像受信装置の一方に備えられ、前記映像受信装置が暗号化映像信号を復号する能力を有する否かを判定する判定手段と、
前記映像送信装置および前記映像受信装置の一方に備えられ、メッセージ映像信号を生成する生成手段と、
前記映像受信装置に備えられ、ベースバンド映像信号を表示する表示手段と、
前記映像送信装置および前記映像受信装置の一方に備えられ、前記判定手段によって前記映像受信装置が暗号化映像信号を復号する能力を有しないと判定されたとき、前記メッセージ画像信号を前記表示手段に表示させる制御手段と
を備えることを特徴とする映像システム。
【請求項２】
前記映像システムは、さらに、
前記映像送信装置に備えられ、ケーブルを介して接続された映像受信装置を認証する認証手段を備え、
前記制御手段は、認証手段による認証が失敗し、かつ、前記判定手段によって前記映像受信装置に暗号化映像信号を復号する能力がないと判定されたとき、前記メッセージ画像を表示手段に表示させ、認証手段による認証が成功したとき、前記ケーブルを介して暗号化されたベースバンド映像信号を前記映像受信装置に送信するよう制御する
ことを特徴とする請求項１記載の映像システム。
【請求項３】
前記判定手段は、前記認証が失敗したとき、映像受信装置に暗号化映像信号を復号する能力がないと判定する
ことを特徴とする請求項２記載の映像システム。
【請求項４】
ケーブルを介して映像受信装置を接続するインターフェース部と、
ベースバンド映像信号を取得する取得手段と、
メッセージ画像信号を生成する画像生成手段と、
取得されたベースバンド映像信号を暗号化する暗号化手段と、
前記インターフェース部に接続された映像受信装置が復号化機能を有するか否かを判定する判定手段と、
判定手段により前記映像受信装置が復号化機能を有しないと判定されたとき、画像生成手段によって生成されたメッセージ画像を、前記インターフェース部を介して映像受信装置に送信させる送信制御手段と
を備えることを特徴とする映像送信装置。
【請求項５】
前記映像送信装置は、さらに、
取得手段に取得されたベースバンド映像信号と、画像生成手段によって生成されたメッセージ画像信号とが入力され、入力の一方を選択し、選択した信号を暗号化手段に出力する第１選択手段と、
暗号化手段からの暗号化されたベースバンド信号または暗号化メッセージ画像と、第１選択手段からベースバンド映像信号またはメッセージ画像信号とが入力され、入力の一方を選択し、選択した信号を前記インターフェース部に出力する第２選択手段とを備え、
前記送信制御手段は、判定手段により前記映像受信装置が復号化機能を有しないと判定されたとき、第１選択手段にメッセージ画像を選択させ、第２選択手段に暗号化されていないメッセージ画像を選択させる
ことを特徴とする請求項４記載の映像送信装置。
【請求項６】
前記映像送信装置は、さらに、前記インターフェース部にケーブルを介して接続された映像受信装置を認証する認証手段を備え、
前記制御手段は、認証手段による認証が失敗し、かつ、前記判定手段によって前記映像受信装置が暗号化映像信号を復号する能力を有しないと判定されたとき、前記選択手段に前記メッセージ画像信号を選択させ、認証手段による認証が成功したとき、前記選択手段に暗号化されたベースバンド映像信号を選択させる
ことを特徴とする請求項４または５記載の映像送信装置。
【請求項７】
前記判定手段は、前記認証が失敗したとき、映像受信装置に暗号化映像信号を復号する能力がないと判定する
ことを特徴とする請求項６記載の映像送信装置。
【請求項８】
暗号化されたベースバンド映像信号を復号する能力を有しない映像受信装置であって
ケーブルを介して映像送信装置を接続可能なインターフェース部と、
前記インターフェース部を介して受信されたベースバンド映像信号を表示する表示部と、
メッセージ画像信号を生成する画像生成手段と、
前記インターフェース部に接続された映像送信装置がベースバンド映像信号の暗号化能力を有するか否かを判定する判定手段と、
判定手段により映像送信装置が暗号化機能を有すると判定されたとき、画像生成手段によって生成されたメッセージ画像を前記表示部に表示させる表示制御手段と
を備えることを特徴とする映像受信装置。
【請求項９】
前記判定手段は、前記インターフェース部とケーブルとを介して接続された映像送信装置から特定の要求を受信したとき、映像送信装置に暗号化能力を有すると判定する
ことを特徴とする請求項７記載の映像受信装置。
【請求項１０】
ケーブルを介して映像受信装置を接続可能なインターフェース部を有する映像送信装置における映像送信方法であって、
メッセージ画像信号を生成する生成ステップと、
ベースバンド映像信号を暗号化する暗号化ステップと、
前記インターフェース部に接続された映像受信装置が復号化機能を有するか否かを判定する判定ステップと、
前記映像受信装置が復号化機能を有しないと判定されたとき、前記メッセージ画像を前記インターフェース部を介して前記映像受信装置に送信する送信ステップと
判定結果に応じて、生成されたメッセージ画像と、暗号化されたベースバンド映像信号のうち一方を前記インターフェース部を介して映像受信装置に送信する送信ステップと
を有することを特徴とする映像送信方法。
【発明の詳細な説明】
【技術分野】
【０００１】
本発明は、テレビ受像機などの映像受信装置に映像信号を送信する映像送信装置に関し、特にデジタル信号を暗号化する映像送信装置に関する。
【背景技術】
【０００２】
近年、ＤＶＤの普及やデジタルテレビ放送の開始に伴って、デジタル映像信号を取り扱う機器が普及している。
【０００３】
映像信号を送信する送信機器（ＤＶＤプレーヤやデジタル放送チューナなど）と映像信号を受信する受信機器（テレビ、モニターなど）とを接続するインターフェース規格としてＨＤＭＩ（High Definition Multimedia Interface）がある。ＨＤＭＩは、ベースバンドのデジタル映像信号を受信装置に伝送するためのインターフェース仕様であり、パソコンで広く使われているＤＶＩ（digital visual interface）と互換性を保ちつつ、民生用の映像受信機器への搭載を想定している。映像送信機器と映像受信機器とを接続する１本のＨＤＭＩケーブルは、ベースバンドの映像データと音声データとを伝送する。
【０００４】
ＨＤＭＩは規格により暗号化／復号化機能を有することが義務付けられているが、ＤＶＩは元来暗号化／復号化機能を有しておらず、拡張規格によって暗号化／復号化機能を有することが定義されている。従って、市場には暗号化／復号化機能を有さないＤＶＩ機器が多数存在する。
【０００５】
また、ＤＶＤやデジタル放送の映像／音声コンテンツは、著作権保護を必要とするものが多く、これらのコンテンツをＨＤＭＩ／ＤＶＩインターフェースで伝送する場合、暗号化することが義務付けられている。
【０００６】
図１は、従来の映像システムの構成を示すブロック図である。この映像システムは、ＨＤＭＩインターフェースを備えた映像送信装置（ここではＤＶＤプレーヤ）と、復号化機能を有さないＤＶＩインターフェースを備えた映像受信装置（ここではテレビ）とを備え、こられがケーブルを介して接続されている。つまり同図では、映像送信装置１００のインターフェースと、映像受信装置２００のインターフェースとが適合するとは限らない例を示している。
【０００７】
同図に示すように、映像送信装置１００は、ＤＶＤコンテンツを再生する再生部１０１と、送信機器システム全体の制御を司る再生制御部１０２と、ＨＤＭＩ送信にかかる制御を司るＨＤＭＩ送信制御部１０３と、認証処理や暗号化制御を司る暗号化制御部１０４と、映像／音声信号をＨＤＭＩ伝送フォーマット信号に変換および暗号化することを司るＨＤＭＩ送信Ｉ／Ｆ部１０５とを備え、コネクタに接続されたＨＤＭＩ−ＤＶＩケーブルを介して、映像受信装置２００に接続されている。
【０００８】
映像受信装置２００は、ＨＤＭＩ伝送フォーマット信号を映像／音声信号に変換するＤＶＩ受信Ｉ／Ｆ部２０４と、ＤＶＩ受信にかかる制御を司るＤＶＩ受信制御部２０３と、受信機器システム全体の制御を司る表示信制御部２０２と、映像を表示する表示パネル２０１とを備えている。
【０００９】
図２Ａは、図１に示した映像システムの動作シーケンスを示す図である。同図に示すように、再生制御部１０２は、ＤＶＤ装着時や交換時に、再生部１０１へコンテンツの再生要求を送信し、さらに、ＨＤＭＩ送信制御部１０３へ認証要求を行う。認証要求を受けたＨＤＭＩ送信制御部１０３は、ＨＤＭＩ送信Ｉ／Ｆ部１０５を介して映像受信装置２００に対して認証用レジスタの読み出し要求を送信する。認証用レジスタは、ＨＤＭＩ規格で定められた特定のアドレスによって指定される。
【００１０】
認証用レジスタ読出し要求を受けた映像受信装置２００は、復号化機能を有さないため認証用レジスタを内部に実装しておらず、認証用レジスタ読み出しに失敗する。そのため、映像受信装置２００は、通常無応答となる。ＨＤＭＩ送信Ｉ／Ｆ部１０５は、期待する応答がないことから、「認証用レジスタ読出し失敗」をＨＤＭＩ送信制御部１０３に通知する。さらに、ＨＤＭＩ送信制御部１０３は、認証失敗の通知を再生制御部１０２通知する。この通知により、再生制御部１０２は再生を停止する。その結果、再生コンテンツの映像／音声信号は、映像受信装置２００へ伝送されることなく、表示パネル２０１には何ら表示されないままとなる。
【００１１】
なお、図２Ｂは、認証に成功する場合、つまり図１の映像受信装置２００の代わりに復号機能およびＨＤＭＩインターフェースを備える映像受信装置と、映像送信装置１００とを備える映像システムの動作シーケンスを示す。図２Ｂでは、認証に成功した後、暗号化されたベースバンドの映像信号および音声信号が映像送信装置１００から映像受信装置に送信される。映像受信装置は、暗号化されたベースバンドの映像信号および音声信号を復号し、表示することになる。
【非特許文献１】Rodolfo La Maestra、“2005 HDTV Report, Part 17: Digital Connectivity”、[online]、October 26, 2005、HDTV Magazine、[平成18年11月検索]、インターネット(URL:http://www.hdtvmagazine.com/articles/2005/10/2005＿hdtv＿repor＿16.php)
【発明の開示】
【発明が解決しようとする課題】
【００１２】
しかしながら、図２Ａに示したように、ＨＤＭＩインターフェースを備えた映像送信装置と、復号化機能を有さないＤＶＩインターフェースを備えた映像受信装置とが接続された場合、故障していないにも関わらず、コンテンツの再生を開始しても表示パネル２０１には何も表示されない状態、つまり故障と同じような状態に陥るという問題がある。ユーザーにとっては、故障なのか他の問題なのか理解することが困難である。
【００１３】
仮に、映像送信装置１００が映像／音声信号を伝送できない旨をユーザーに知らせるとしても、映像送信装置１００には一般的に貧弱な表示機能しか有しておらず、さらにユーザーからの視認が困難な場所に設置されることも多いことから、故障でないことをユーザーに知らせることが困難であった。
【００１４】
上記課題に鑑み本発明は、映像送信装置と映像受信装置との間のインターフェースが不適合である場合に、故障と同じような状態に陥ることを解消する映像送信装置、映像受信装置、映像システムおよび映像送信方法を提供することを目的とする。
【課題を解決するための手段】
【００１５】
上記課題を解決するため本発明の映像システムは、ケーブルを介して互いに接続可能な映像送信装置と映像受信装置とを含む映像システムであって、前記映像送信装置に備えられ、ベースバンド映像信号を取得する取得手段と、前記映像送信装置に備えられ、取得されたベースバンド映像信号を暗号化する暗号化手段と、前記映像送信装置および前記映像受信装置の一方に備えられ、前記映像受信装置が暗号化映像信号を復号する能力を有する否かを判定する判定手段と、前記映像送信装置および前記映像受信装置の一方に備えられ、メッセージ映像信号を生成する生成手段と、前記映像受信装置に備えられ、ベースバンド映像信号を表示する表示手段と、前記映像送信装置および前記映像受信装置の一方に備えられ、前記判定手段によって前記映像受信装置が暗号化映像信号を復号する能力を有しないと判定されたとき、前記メッセージ画像信号を前記表示手段に表示させる制御手段とを備える。この構成によれば、映像受信装置が復号化機能を有しないと判定された場合は、例えば「著作権保護のため、接続されたケーブルでは再生できません」等の表示メッセージを画像生成手段が生成し映像受信装置の表示手段に表示させる。映像送信装置と映像受信装置との間のインターフェースが不適合である場合に、故障と同じような状態に陥ることを解消することができる。
【００１６】
また、本発明の画像送信装置は、ケーブルを介して映像受信装置を接続するインターフェース部と、ベースバンド映像信号を取得する取得手段と、メッセージ画像信号を生成する画像生成手段と、取得されたベースバンド映像信号を暗号化する暗号化手段と、前記インターフェース部に接続された映像受信装置が復号化機能を有するか否かを判定する判定手段と、判定手段により前記映像受信装置が復号化機能を有しないと判定されたとき、画像生成手段によって生成されたメッセージ画像を、前記インターフェース部を介して映像受信装置に送信させる送信制御手段とを備える。この構成によれば、映像受信装置が復号化機能を有しないと判定された場合は、メッセージ画像を暗号化せずに映像受信装置に伝送する。復号機能のない映像受信装置でもメッセージ画像を表示するので、故障と同じような状態に陥ることを解消することができる。
【００１７】
ここで、前記映像送信装置は、さらに、取得手段に取得されたベースバンド映像信号と、画像生成手段によって生成されたメッセージ画像信号とが入力され、入力の一方を選択し、選択した信号を暗号化手段に出力する第１選択手段と、暗号化手段からの暗号化されたベースバンド信号または暗号化メッセージ画像と、第１選択手段からベースバンド映像信号またはメッセージ画像信号とが入力され、入力の一方を選択し、選択した信号を前記インターフェース部に出力する第２選択手段とを備え、前記送信制御手段は、判定手段により前記映像受信装置が復号化機能を有しないと判定されたとき、第１選択手段にメッセージ画像を選択させ、第２選択手段に暗号化されていないメッセージ画像を選択させる構成としてもよい。この構成によれば、さらに、第１選択手段と第２選択手段の選択の組み合わせにより、メッセージ画像信号の暗号化もしくは非暗号化または映像信号の暗号化もしくは非暗号化を柔軟に切り替えることが可能になる。
【００１８】
ここで、前記映像送信装置は、さらに、前記インターフェース部にケーブルを介して接続された映像受信装置を認証する認証手段を備え、前記制御手段は、認証手段による認証が失敗し、かつ、前記判定手段によって前記映像受信装置が暗号化映像信号を復号する能力を有しないと判定されたとき、前記選択手段に前記メッセージ画像信号を選択させ、認証手段による認証が成功したとき、前記選択手段に暗号化されたベースバンド映像信号を選択させるようにしてもよい。
【００１９】
ここで、前記判定手段は、前記認証が失敗したとき、映像受信装置に暗号化映像信号を復号する能力がないと判定するようにしてもよい。この構成によれば、故障と同じような状態に陥ることを解消することができる。認証結果を利用することによって簡単にすることができ、判定のための特別な回路やソフトウェアを簡単にすることができる。
【００２０】
また、本発明の映像受信装置は、暗号化されたベースバンド映像信号を復号する能力を有しない映像受信装置であって、ケーブルを介して映像送信装置を接続可能なインターフェース部と、前記インターフェース部を介して受信されたベースバンド映像信号を表示する表示部と、メッセージ画像信号を生成する画像生成手段と、前記インターフェース部に接続された映像送信装置がベースバンド映像信号の暗号化能力を有するか否かを判定する判定手段と、判定手段により映像送信装置が暗号化機能を有すると判定されたとき、画像生成手段によって生成されたメッセージ画像を前記表示部に表示させる表示制御手段とを備える。この構成によれば、映像送信装置が暗号化機能を有すると判定された場合は、メッセージ画像を表示するので、故障と同じような状態に陥ることを解消することができる。また、映像受信装置が暗号化映像信号を復号する能力を有するか否かの判定を、認証用レジスタの読出し要求を検出することによって、ソフトウェアにより簡単に実現することができる。
【００２１】
ここで、前記判定手段は、前記インターフェース部とケーブルとを介して接続された映像送信装置から特定の要求を受信したとき、映像送信装置に暗号化能力を有すると判定するようにしてもよい。この構成によれば、映像送信装置からの要求が特別な要求か否かを判定することにより、映像送信装置が暗号化機能を有するか否かの判定を簡単にすることができる。
【００２２】
また、本発明の映像送信方法は、上記と同様の構成、作用および効果を有する。
【発明の効果】
【００２３】
本発明によれば、映像送信装置と映像受信装置との間のインターフェースが不適合である場合に、故障と同じような状態に陥ることを解消することができる。
【発明を実施するための最良の形態】
【００２４】
以下、図面を参照して本発明の実施の形態を詳細に説明するが、これによって本発明の技術的範囲が制限されるものではない。
【００２５】
以下本発明の実施形態について、図面を参照しながら説明する。
【００２６】
[実施の形態１]
本実施の形態における映像送信装置は、ケーブルを介して接続された映像受信装置が復号化機能を有さない場合は、「接続されたケーブルでは再生できません」等のメッセージ画像を生成し、暗号化していないメッセージ画像を映像受信装置へ伝送し、映像受信装置の表示パネルに表示させるよう構成されている。
【００２７】
図３は、実施の形態１における映像システムの構成を示すブロック図である。この映像システムは、ＨＤＭＩインターフェースを備えた映像送信装置１と、復号化機能を有さないＤＶＩインターフェースを備えた映像受信装置２とを備え、こられがＨＤＭＩ−ＤＶＩケーブルを介して接続されている。つまり同図では、映像送信装置１００のインターフェースと、映像受信装置２００のインターフェースとが適合するとは限らない例を示している。映像送信装置１は、例えばＤＶＤプレーヤ、ＤＶＤレコーダ、デジタル放送チューナなどである。映像受信装置２は、テレビ受像器、プロジェクタ、リレー機能を有するＡＶアンプなどである。
【００２８】
映像送信装置１は、画像生成部１６、選択部１７、選択部１８、再生部１１、再生制御部１２、ＨＤＭＩ送信制御部１３、暗号化制御部１４およびＨＤＭＩ送信Ｉ／Ｆ部１５を備える。
【００２９】
画像生成部１６は、各種の画像を生成し、画像信号を出力する。ここでいう各種の画像はいわゆるＯＳＤ(On Screen Display)画像であり、壁紙画像、ＧＵＩ画像、メッセージ画像などである。メッセージ画像は、ＨＤＭＩ送信Ｉ／Ｆ部１５に接続された映像受信装置が復号化機能を有しない旨をユーザーに通知するための画像を含む。
【００３０】
選択部１７は、第１選択手段として機能する。すなわち、選択部１７は、再生部１１から出力されるベースバンド映像信号と、画像生成部１６によって生成された画像信号とが入力され、入力の一方を選択し、選択した信号を暗号化制御部１４および選択部１８に出力する。
【００３１】
選択部１８は、第２選択手段として機能する。すなわち、選択部１８は、暗号化制御部１４からの暗号化されたベースバンド信号または暗号化された画像信号と、選択部１７からのベースバンド映像信号または画像信号とが入力され、入力の一方を選択し、選択した信号をＨＤＭＩ送信Ｉ／Ｆ部１５に出力する。選択部１７および選択部１８の選択の組み合わせにより、画像信号の暗号化もしくは非暗号化またはベースバンド映像信号の暗号化もしくは非暗号化を柔軟に切り替えることが可能である。
【００３２】
再生部１１は、ベースバンド映像信号を取得する取得手段として機能し、ＤＶＤから読み出されたコンテンツ（符号化された映像信号）を再生し、ベースバンドの映像信号を出力する。
【００３３】
再生制御部１２は、コンテンツの再生開始や再生停止などのユーザー操作に応じて、再生部１１、再生制御部１２、選択部１７、選択部１８等システム全体を制御すると共に、ＨＤＭＩ送信Ｉ／Ｆ部１５に接続された映像受信装置が復号化機能を有するか否かを判定する判定手段として機能する。さらに、再生制御部１２は、映像受信装置が復号化機能を有しないと判定した場合、選択部１７にメッセージ画像を選択させ、選択部１８に暗号化されていないメッセージ画像を選択させる。これにより、復号化機能を有しない映像受信装置には、暗号化されていないメッセージ画像が伝送される。
【００３４】
ＨＤＭＩ送信制御部１３は、選択部１８により選択された信号を、ＨＤＭＩ送信Ｉ／Ｆ部１５から送信する制御を行う。選択部１８により選択される信号は、暗号化ベースバンド映像信号、暗号化メッセージ画像信号、非暗号化ベースバンド映像信号および非暗号化メッセージ画像信号の何れかになる。
【００３５】
暗号化制御部１４は、ＨＤＭＩ送信Ｉ／Ｆ部１５にケーブルを介して接続された映像受信装置を認証する認証手段、およびベースバンド映像信号やメッセージ画像信号を暗号化する暗号化手段として機能する。
【００３６】
ＨＤＭＩ送信Ｉ／Ｆ部１５は、ＨＤＭＩ送信制御部１３の制御の下で、ＴＭＤＳ（Transition-Minimized Differential Signaling）による映像信号および音声信号を伝送する単方向のデータ伝送線への映像データおよび音声データの送信と、ＤＤＣ（Display Data Channel）と呼ばれる双方向のコマンド伝送線を介して、映像受信装置２とコマンド／応答の送受信とを行う。その際、ベースバンド映像／音声信号をＨＤＭＩ伝送フォーマット信号に変換する。
【００３７】
映像受信装置２は、ＤＶＩ受信Ｉ／Ｆ部２４、ＤＶＩ受信制御部２３、表示信制御部２２、表示パネル２１を備える。また、映像受信装置２は暗号化されたベースバンド映像信号を復号化する機能を有していない。ＤＶＩ受信Ｉ／Ｆ部２４は、ＨＤＭＩ伝送フォーマット信号を映像／音声信号に変換する。ＤＶＩ受信制御部２３は、ＤＶＩ受信Ｉ／Ｆ部２４による受信を制御する。表示信制御部２２は、受信機器システム全体を制御する。表示パネル２１は、表示信制御部２２の制御の下でＤＶＩ受信Ｉ／Ｆ部２４により受信されたベースバンド映像信号を表示する。
【００３８】
図４は、本実施の形態における映像システムの動作シーケンスを示す図である。同図に示すように、再生制御部１２は、ＤＶＤ装着時やこう幹事に、再生部１１へコンテンツの再生要求を送信し、さらに、ケーブルが接続されていると再生制御部１２はＨＤＭＩ送信制御部１３へ認証要求を行う。ＨＤＭＩ送信制御部１３は、ＨＤＭＩ送信Ｉ／Ｆ部１５を介して映像受信装置２０に対して認証用レジスタの読み出し要求を行う。この認証用レジスタは、ＨＤＭＩ規格で定められた特定のアドレスによって指定される。
【００３９】
しかしながら、映像受信装置２０は復号化機能を有さないため認証用レジスタを実装しておらず、認証用レジスタ読み出しは失敗する。そのため、映像受信装置２００は、通常無応答となる。ＨＤＭＩ送信Ｉ／Ｆ部１０５は、期待する応答がないことから、「認証用レジスタ読出し失敗」をＨＤＭＩ送信制御部１０３に通知する。さらに、ＨＤＭＩ送信制御部１３は、再生制御部１２へ「認証失敗」を通知する。
【００４０】
再生制御部１２は、「認証失敗」が通知されたことから、映像受信装置２が暗号化映像信号を復号する能力を有していないと判定する。この判定により再生制御部１２は、さらに、画像生成部１６に対して「著作権保護のため、接続されたケーブルでは再生できない。」等の表示メッセージの生成を依頼し、選択部１７にメッセージ画像を選択させ、選択部１８に暗号化されていないメッセージ画像を選択させる。これにより、画像生成部１６により生成されたメッセージ画像は、暗号化されることなく、ＨＤＭＩ送信Ｉ／Ｆ部１５に出力される。
【００４１】
さらに、再生制御部１２はＨＤＭＩ送信制御部１３へ選択部１８に選択されたメッセージ画像信号を送信する要求を送信し、ＨＤＭＩ送信制御部１３は、ＨＤＭＩ送信Ｉ／Ｆ部１５へ伝送開始の設定を行う。暗号化されていないメッセージ画像信号は、映像受信装置２０へ伝送される。映像受信装置２では、メッセージ画像を表示パネル２１に表示する。
【００４２】
これにより、前記メッセージを作成する画像生成部１６を設け、暗号化する／しないをダイナミックに制御することにより、新たなハードウェアなどを備えることなく安価にかつ容易にコンテンツ映像を伝送できないことをユーザーに伝えることができる。
【００４３】
図５Ａ〜図５Ｄは、メッセージ画像の具体例を示す図である。
図５Ａのメッセージ画像は「著作権保護のため接続されたケーブルでは再生できません。」とのメッセージを有し、ユーザーに故障でないことを知らせ、次のメッセージ（例えば図５Ｂや図５Ｃ）に表示を切り替えるための「次へ」というＧＵＩボタンを有している。図５Ｂ、図５Ｃでは、メッセージに加えて、表示切り替え用の「次へ」「戻る」というＧＵＩボタンを有している。
【００４４】
図５Ｄのメッセージ画像は、「設定された解像度では表示できません。設定変更をして下さい」とのメッセージを有し、ユーザーに故障でないことを知らせると共に映像出力の設定変更により表示の可能性があることを知らせ、さらに、「ヘルプ」ボタンによりヘルプメッセージへの切り替えを促している。
【００４５】
以上のように、本実施の形態における映像送信装置によれば、暗号化して伝送すべき著作権保護コンテンツをＤＶＤプレーヤなどで再生し、復号化機能を有さない映像受信装置（テレビなど）に伝送する場合に、従来は表示パネルに何ら表示できなかったところを、映像送信装置１から、故障でないことを示すだけでなく表示できない理由を示すメッセージ画像を暗号化せずに伝送することによって、故障と同様の状態に陥るのを解消すると共に、表示パネル上でユーザーが容易にその理由を理解できるという効果がある。
【００４６】
なお、上記実施の形態では再生制御部１２（判定手段）は、映像受信装置が暗号化映像信号を復号する能力を有する否かを、認証結果を利用して判定する例を説明した。この判定は、認証とは独立であってもよい。図６は、認証とは独立に上記判定を行う場合の動作シーケンスの一例を示す。同図において再生制御部１２は、任意のタイミングで、ダミー通知をＨＤＭＩ送信制御部１３に出力する。ダミー通知は、映像受信装置への特別なアドレスへのアクセスをするようＨＤＭＩ送信制御部１３に要求する。ここで特別なアドレスとは、例えば、復号能力を有するＨＤＭＩインターフェースでアクセス可能なレジスタのアドレスや、ＤＶＩではサポートされていないアドレスなどでよい。この応答の有無あるいは応答の内容によって、上記判定をすることができる。ダミー通知を受けた暗号化制御部１４は、ＨＤＭＩ送信Ｉ／Ｆ部１５を介してアクセス要求を送信する。
【００４７】
アクセス要求に対する応答が映像受信装置から送信されない場合、あるいは期待した応答以外の応答が送信された場合、ＨＤＭＩ送信Ｉ／Ｆ部１５は「アクセス要求失敗」を暗号化制御部１４に通知し、さらにＨＤＭＩ送信制御部１３は再生制御部１２に「失敗通知」を送信する。再生制御部は「失敗通知」の受信により、映像受信装置が暗号化映像信号を復号する能力を有しないと判定する。この判定以降は、図４と同様のシーケンスにより、メッセージ画像を映像受信装置に表示させる。
【００４８】
アクセス要求に対して応答があった場合、または期待された応答が映像受信装置から送信された場合、ＨＤＭＩ送信Ｉ／Ｆ部１５は「アクセス成功」をＨＤＭＩ送信制御部１３を介して再生制御部１２に通知する。この通知により、再生制御部１２は、映像受信装置が暗号化映像信号を復号する能力を有していると判定する。これ以降は、暗号化されたベースバンド映像信号を送信するように制御する。
【００４９】
図６に示したダミー通知発行のタイミングは、図４と同じでもよいし、周期的に発行するようにしてもよいし、特定のイベントに同期して発行してもよい。
【００５０】
[実施の形態２]
実施の形態１では、映像送信装置で課題を解決しているが、実施の形態２では映像送信装置ではなく映像受信装置側で課題を解決する構成について説明する。本実施の形態における映像受信装置は、メッセージ画像信号を生成し、インターフェース部に接続された映像送信装置がベースバンド映像信号の暗号化能力を有するか否かを判定し、映像送信装置が暗号化機能を有すると判定したとき、生成されたメッセージ画像を前記表示部に表示するように構成されている。
【００５１】
図７は、実施の形態２における映像システムの構成を示す図である。この映像システムは、映像送信装置１０と映像受信装置２０とを有する。
【００５２】
同図に示すように、映像送信装置１０は、ＤＶＤコンテンツを再生する再生部１１と、送信機器システム全体の制御を司る再生制御部１２と、ＨＤＭＩ送信にかかる制御を司るＨＤＭＩ送信制御部１３と、認証処理や暗号化制御を司る暗号化制御部１４と、映像／音声信号をＨＤＭＩ伝送フォーマット信号に変換および暗号化することを司るＨＤＭＩ送信Ｉ／Ｆ部１５とを備え、コネクタに接続されたＨＤＭＩ−ＤＶＩケーブルを介して映像受信装置２０に接続される。
【００５３】
映像受信装置２０は、画像生成部２５、ＤＶＩ受信Ｉ／Ｆ部２４、判定部２６、表示信制御部２２および表示パネル２１を備える。
【００５４】
画像生成部２５は、画像生成部１６と同様に、各種の画像を生成し、画像信号を出力する。各種の画像はいわゆるＯＳＤ(On Screen Display)画像であり、壁紙画像、ＧＵＩ画像、メッセージ画像などである。メッセージ画像は、判定部２６によって、ＤＶＩ受信Ｉ／Ｆ部２４に接続された映像送信装置が暗号化機能を有すると判定された場合に、例えば、図５Ａ〜図５Ｄのような、ユーザーに故障でないことを通知するための画像を含む。
【００５５】
ＤＶＩ受信Ｉ／Ｆ部２４は、映像送信装置１０から送信されるＨＤＭＩ伝送フォーマット信号をベースバンド映像／音声信号に変換する。
【００５６】
判定部２６は、ＤＶＩ受信Ｉ／Ｆ部２４に接続された映像送信装置が暗号化機能を有するか否かを判定する。具体的には、判定部２６は、ＤＶＩ受信Ｉ／Ｆ部２４に実装されていない認証用レジスタへのアクセス要求が映像送信装置から送信されたことを検出し、この検出により映像送信装置が暗号化機能を有すると判定する。
【００５７】
表示信制御部２２は、判定部２６により映像送信装置が暗号化機能を有すると判定されたとき、画像生成部２５によって生成されたメッセージ画像を記表示部に表示させる表示パネル２１は、液晶表示パネル、プラズマディスプレイパネルなどである。
【００５８】
図８は、図７に示した映像システムの動作シーケンスを示す図である。同図において、映像送信装置１０はコンテンツの再生開始前にＨＤＭＩ−ＤＶＩケーブルが接続されていると、映像受信装置２０に対して認証用レジスタの読み出し要求を行う。この認証用レジスタはＨＤＭＩ規格で定められた特定のアドレスにより指定される。
【００５９】
復号化機能を有さない映像受信装置２０の判定部２６は、認証用レジスタの読み出し要求、つまり特定アドレスに対するアクセス要求を検出する。映像受信装置２０は、認証用レジスタを実装していないことから、ＤＶＩ受信Ｉ／Ｆ部２４は、前記認証用レジスタの読み出しをできないで、応答を返さない。
【００６０】
判定部２６は、認証用レジスタへの読み出しアクセスが発生したことを検出すると、接続されている映像送信装置１０が暗号化対応装置であると判定し、ＶＩ受信制御部２３へその旨を通知する。ＤＶＩ受信制御部２３は、その通知を受けると、表示信制御部２２にその旨を通知する。表示信制御部２２は画像生成部２５に対してメッセージ画像の生成を依頼し表示パネル２１へ表示させる。
【００６１】
以上説明してきたように、本実施の形態における映像受信装置２０によれば、故障と同じような状態に陥ることを解消することができる。また、映像受信装置が暗号化映像信号を復号する能力を有するか否かの判定は、認証用レジスタの読出し要求を検出することによって簡単にすることができ、判定のための特別な回路を追加しなくても、ソフトウェアにより簡単にすることができる。画像生成部２５は、従来から映像受信装置２０が有しているＧＵＩ画像に加えて、図５Ａ〜図５Ｄのようなメッセージ画像を追加すればよいので、特別な回路を追加しなくても、ソフトウェアにより簡単に実現することができる。
【００６２】
なお、判定部２６は、認証用レジスタの読み出し要求を検出する代わりに、暗号化機能を有する映像送信装置１に特有のアクセス要求を検出するようにしてもよい。
【００６３】
また、本発明は、映像受信装置が故障と同じような状態に陥ることを解消しているが、実施の形態１のように映像送信装置側のみ実現してもよいし、実施の形態２のように映像受信装置側のみで実現してもよい。すなわち、本発明の映像送信装置および映像受信装置とを有する映像システムは、ケーブルを介して互いに接続可能な映像送信装置と映像受信装置とを含む映像システムであって、（ａ）前記映像送信装置に備えられ、ベースバンド映像信号を取得する取得手段と、（ｂ）前記映像送信装置に備えられ、取得されたベースバンド映像信号を暗号化する暗号化手段と、（ｃ）前記映像送信装置および前記映像受信装置の一方に備えられ、前記映像受信装置が暗号化映像信号を復号する能力を有する否かを判定する判定手段と、（ｄ）前記映像送信装置および前記映像受信装置の一方に備えられ、メッセージ画像信号を生成する生成手段と、（ｅ）前記映像受信装置に備えられ、ベースバンド映像信号を表示する表示手段と、（ｆ）前記映像送信装置および前記映像受信装置の一方に備えられ、前記判定手段によって前記映像受信装置が暗号化映像信号を復号する能力を有しないと判定されたとき、前記メッセージ画像信号を前記表示手段に表示させる制御手段とを備えるように構成すればよい。
【産業上の利用可能性】
【００６４】
本発明は、暗号化されたベースバンド映像信号を送信する映像送信装置、暗号化されたベースバンド映像信号を復号する能力を有しない映像受信装置に適しており、例えば、例えばＤＶＤプレーヤ、ＤＶＤレコーダ、セットトップボックス（デジタル放送チューナ）等のＨＤＭＩインターフェースを備える映像送信装置や、液晶テレビ、プラズマディスプレイテレビ、プロジェクタ等のＤＶＩインターフェースを備えた映像受信装置に適している。
【図面の簡単な説明】
【００６５】
【図１】従来の映像システムの構成を示すブロック図である。
【図２Ａ】従来の映像システムの動作シーケンスを示す図である。
【図２Ｂ】従来の映像システムの動作シーケンスを示す図である。
【図３】実施の形態１における映像システムの構成を示すブロック図である。
【図４】映像システムの動作シーケンスを示す図である。
【図５Ａ】メッセージ画像の例を示す図である。
【図５Ｂ】メッセージ画像の例を示す図である。
【図５Ｃ】メッセージ画像の例を示す図である。
【図５Ｄ】メッセージ画像の例を示す図である。
【図６】映像システムの他の動作シーケンスを示す図である。
【図７】実施の形態２における映像システムの構成を示す図である。
【図８】映像システムの動作シーケンスを示す図である。
【符号の説明】
【００６６】
１、１０  映像送信装置
１１  再生部
１２  再生制御部
１３  ＨＤＭＩ送信制御部
１４  暗号化制御部
１５  ＨＤＭＩ送信Ｉ／Ｆ部
１６  画像生成部
１７、１８  選択部
２、２０  映像受信装置
２１  表示パネル
２２  表示信制御部
２３  ＤＶＩ受信制御部
２４  ＤＶＩ受信Ｉ／Ｆ部
２５  画像生成部
２６  判定部
【図１】
2008131567.tif 000003
【図２Ａ】
2008131567.tif 000004
【図２Ｂ】
2008131567.tif 000005
【図３】
2008131567.tif 000006
【図４】
2008131567.tif 000007
【図５Ａ】
2008131567.tif 000008
【図５Ｂ】
2008131567.tif 000009
【図５Ｃ】
2008131567.tif 000010
【図５Ｄ】
2008131567.tif 000011
【図６】
2008131567.tif 000012
【図７】
2008131567.tif 000013
【図８】
2008131567.tif 000014